(57)【特許請求の範囲】
【請求項１】
パネル部材に設置する操作ボタンと、前記操作ボタンの操作を検出する検出手段および前記操作ボタンに対応する情報を表示する表示部を備えて前記パネル部材のボタンを操作する側とは反対側に設置する検出・表示側部材とを備えて構成されるボタン装置において、前記検出・表示側部材が前記検出手段を備えて前記パネル部材に取着される検出部材と、前記表示部を備えて前記検出部材の上側に後傾可能に取着される表示部材とからなり、前記検出部材または前記表示部材の何れか一方が他部材側に突設された連結片を備え、前記連結片を備えない他方の部材が水平方向に突設された回動軸を備え、前記回動軸が前記連結片突設方向に長径方向を一致させて設けられた前記連結片の長穴に遊嵌され、前記表示部材が前記検出部材に上下動と共に後傾可能に取着されたことを特徴とするボタン装置。
【請求項２】
長穴を備えた複数の連結片が一方の部材に離間して設けられ、連結片に対応する複数の回動軸が他方の部材に離間して設けられたことを特徴とする請求項１記載のボタン装置。
【請求項３】
表示部材降下時の前記表示部材の後傾時には他部材と干渉して前記表示部材の後傾を阻止し、前記表示部材上昇時の前記表示部材の後傾時には前記他部材との干渉が解消されて前記表示部材の後傾を可能にする後傾防止部材が前記検出部材または前記表示部材の少なくとも何れか一方に設けられたことを特徴とする請求項１または２記載のボタン装置。
【請求項４】
請求項１〜３何れかに記載のボタン装置の操作ボタンが、商品を選択するボタンとして商品を収納する筐体の前部に設置された前面パネルにその前面側から設置され、前記ボタン装置の検出・表示手段が前記前面パネルの背面側に設置されたことを特徴とする自動販売機。
【発明の詳細な説明】
【０００１】
【発明の属する技術分野】
本発明は、商品を選択するときなどに使用するボタン装置、およびそれを使用した自動販売機に関するものである。
【０００２】
【従来の技術】
この種のボタン装置としては、横方向に列設された複数の操作ボタン１２を備えて自動販売機２００の前面パネル２０１に前面側から設置する操作側部材１０と、前面パネル２０１の背面側に設置し、操作側部材１０の操作ボタン１２の操作を検出する検出スイッチなどを備えた基板、および操作ボタン１２それぞれに対応する情報、すなわち商品名、価格、ホット／コールド区分、準備中／販売中／売切などを表示する表示部を有する検出・表示側部材５０とからなる、図９に示した構成のボタン装置１００が周知である。
【０００３】
図９に示した従来のボタン装置１００においては、検出・表示側部材５０の通常は上部側に配置される表示部と対峙した自動販売機２００の前面パネル２０１の部分が汚れても、ボタン装置１００を取り外さないとその部分を清掃することができないと云った問題点があった。
【０００４】
すなわち、ボタン装置１００における検出・表示側部材５０の表示部は、展示する商品サンプル２０４と共に常に消費者に注視される部分であり、その部分が汚れていたり、埃まみれになっていると不衛生であるばかりでなく、見た目にも不潔であり、消費者の購買意欲を削ぐことにもなるので、簡単に清掃できる構造にする必要がある。
【０００５】
しかし、従来のボタン装置１００では、検出・表示側部材５０の表示部が可動構造になっていないため、前面パネル２０１の表示部前方の背面部分に、隙間などから入り込んだ埃が付着したり、商品を補充するときなどに入り込んだ蛾などの死骸があっても、その部分の清掃がし難いと云った問題点があった。
【０００６】
【発明が解決しようとする課題】
したがって、消費者に常に注視されている自動販売機における検出・表示側部材の表示部前方の前面パネル背面部の汚れが簡単に除去できるようにして、自動販売機の内部が常に清潔に保たれていることを視覚的にも訴える必要があり、それが解決すべき課題となっていた。
【０００７】
【課題を解決するための手段】
本発明は上記従来技術の課題を解決するため、パネル部材に設置する操作ボタンと、前記操作ボタンの操作を検出する検出手段および前記操作ボタンに対応する情報を表示する表示部を備えて前記パネル部材のボタンを操作する側とは反対側に設置する検出・表示側部材とを備えて構成されるボタン装置において、前記検出・表示側部材が前記検出手段を備えて前記パネル部材に取着される検出部材と、前記表示部を備えて前記検出部材の上側に後傾可能に取着される表示部材とからなり、前記検出部材または前記表示部材の何れか一方が他部材側に突設された連結片を備え、前記連結片を備えない他方の部材が水平方向に突設された回動軸を備え、前記回動軸が前記連結片突設方向に長径方向を一致させて設けられた前記連結片の長穴に遊嵌され、前記表示部材が前記検出部材に上下動と共に後傾可能に取着されたことを特徴とする第１の構成のボタン装置と、
【０００８】
前記第１の構成のボタン装置において、長長穴を備えた複数の連結片が一方の部材に離間して設けられ、連結片に対応する複数の回動軸が他方の部材に離間して設けられたことを特徴とする第２の構成のボタン装置と、
【０００９】
前記第１または第２の構成のボタン装置において、表示部材降下時の前記表示部材の後傾時には他部材と干渉して前記表示部材の後傾を阻止し、前記表示部材上昇時の前記表示部材の後傾時には前記他部材との干渉が解消されて前記表示部材の後傾を可能にする後傾防止部材が前記検出部材または前記表示部材の少なくとも何れか一方に設けられたことを特徴とする第３の構成のボタン装置と、
【００１０】
前記第１〜第３何れかの構成のボタン装置の操作ボタンが、商品を選択するボタンとして商品を収納する筐体の前部に設置された前面パネルにその前面側から設置され、前記ボタン装置の検出・表示手段が前記前面パネルの背面側に設置されたことを特徴とする自動販売機と、
を提供するものである。
【００１１】
【発明の実施の形態】
本発明の実施形態を、図面に基づいて説明する。
本発明の自動販売機用ボタン装置（以下、単にボタン装置と記す）１００も、例えば自動販売機２００の透明な前面パネル２０１に前面側から取着する操作側部材１０と、前面パネル２０１および操作側部材１０の背面側に設置する検出・表示側部材５０とを備えて構成される。
【００１２】
操作側部材１０は、背面側に列設された取り付け用の複数個のボス１１を備えており、ボス１１同士の間に操作ボタン１２を備えている。
【００１３】
各操作ボタン１２は、後方に延設された作用腕１３をその背面側に備えてそれ自体は従来周知の機構により操作側部材１０に組み付けられ、操作ボタン１２の前面の操作面１２Ａを前方から後方側に押したときだけ所定のストロークで全体が後方に移動し、作用腕１３の後端が基板５４のスイッチ（解決手段で云う検出手段に該当）５３に突き当たって操作ボタン１２の操作が行われたことが検出できるようになっている。
【００１４】
検出・表示側部材５０は、左右の２個の連結用のビス（解決手段で言う回動軸）３１により一体化された検出側取着部材（解決手段で言う検出部材）５１と可動表示部材（解決手段で言う表示部材）５２とからなる。検出側取着部材５１は、前記操作ボタン１２の作用腕１３の後端部により操作可能なスイッチ５３を有する基板５４と、その基板５４をカバーするための断面がＣチャンネル状の枠部材５５と、その両端部にビス３１および後述するビス５７により取り付けられ、さらにビス３１により可動表示部材５２が取り付けられる固定側取着部材５６を備えて構成されている。
【００１５】
なお、固定側取着部材５６の前面側は外方に屈曲し、後傾防止手段５６Ａとなっている。また、枠部材５５の前面部は、設置時に操作側部材１０により覆い隠されるように、操作側部材１０より小さく形成されることが好ましい。
【００１６】
基板５４と枠部材５５には操作側部材１０のボス１１が遊嵌可能なボス穴５４Ａ、５５Ａが、また、枠部材５５には取着用のビス５７の軸部分が遊嵌可能なビス穴が列設され、枠部材５５のビス穴の背面側からビス５７の軸部を差し通し、操作側部材１０のボス１１の後端部に設けた図示しない雌螺子にねじ込むことで、操作側部材１０と検出側取着部材５１との離間距離が縮小し、操作側部材１０と検出側取着部材５１との間にある表面パネル２０１を締め付けることで、操作側部材１０と検出・表示側部材５０とが表面パネル２０１に固定できるようになっている。
【００１７】
他方の可動表示部材５２は、基板６０と、例えば図６に示した構成の表示部材１と、それらを装着するための枠部材６１と、背面カバー部材６２とを備えて構成されている。
【００１８】
図６に示した表示部材１は、透明な弾性素材、例えばポリエステルフィルムなどからなる。この表部部材１は、Ｖ字状に折返し形成された２枚のフラップ状の表示部２と支持部３とから構成され、表示部２の支持部３側の面にはシルク印刷などの手法により、ＨＯＴ・ＣＯＬＤの文字表示４が印刷面の反対側から正常に読めるように繰り返し設けられている。
【００１９】
なお、この表示部材１は、図６（Ｃ）に示したように、例えば１００〜１５０μｍ程度の厚さの帯状シート５の表示部２となる部分の片面に文字表示４を設け、その後、破線で示す削除部５Ａの部分を切り取り、支持部３を等脚台形状に残し、鎖線で示す折返し部６から支持部３を表示部２の文字表示４が設けられている側に折り返すことで形成される。
【００２０】
なお、フラップ状の表示部２と支持部３とは、３０〜４５°程度の角度に設けられており、表示部２と支持部３とは力を加えて一時的に密着させても、その密着させている力がなくなると、元のＶ字状に戻る弾性を備えている。また、支持部３の支持部端３Ａの部分は、表示部２側に僅かにカールされている。
【００２１】
また、力を加えて表示部２と支持部３とを一時的に密着させたときにも、表示部２の長手方向の端部が湾曲することがないように、表示部２の両端部それぞれで支持部３を設けない部分の長さＬは、表示部２の幅Ｗと同程度か、それ以上とされる。
【００２２】
前面側に複数の表示窓６３が列設されている枠部材６１には、表示部材１を収納するための表示部材収納部６４が左右に設けられ、且つ、可動表示部材５２の背面側中央寄りの左右の二箇所には表示部材１を左右の表示部材収納部６４に出し入れするための出入口６５Ｌ、６５Ｒが開設され、左側の出入口６５Ｌからは右側の表示部材収納部６４Ｒに設置する表示部材１を出し入れし、右側の出入口６５Ｒからは左側の表示部材収納部６４Ｌに設置する表示部材１を出し入れするように構成されている。
【００２３】
表示部材１は薄く、且つ、表示部材１の支持部３の長手方向の端部（台形の脚の部分）は傾斜して設けてあるので、表示部材収納部６４に出入口６５から表示部材１を出し入れする際に、狭い表示部材収納部６４の内部で表示部材１同士がすれ違うときにも、端面などが衝突してスライドすることができなくなると云った不都合は生じない。
【００２４】
また、表示部材１は支持部端３Ａの部分が表示部２側にカールしているので、表示部材１を表示部材収納部６４内でスライドする際に、支持部端３Ａの部分が枠部材６１および背面カバー部材６２の開口端部などにぶつかることはない。また、表示部材１の表示部２が表示部材収納部６４の内部し進入し、支持部３が背面カバー部材６２の背面側に出ると云ったこともないので、表示部材１を表示部材収納部６４内でスムースにスライドさせることができる。
【００２５】
表示部２と支持部３とを密着させるようにして、前後方向の寸法が小さい表示部材収納部６４に出入口６５から挿入された表示部材１は、その素材の弾性により元のＶ字状に戻ろうとして、表示部２と支持部３とは拡がろうとするので、表示部２が枠部材６１の前面側内面に密着させられる。
【００２６】
そして、表示部材１を左右方向にスライドさせることにより文字表示４の所望の文字、例えばＨＯＴの文字の部分を枠部材６１の前面に列設した表示窓６３の背面に位置させ、サンプル台の下側に設けたライト２０５を点灯させることで、所望の文言が浮き上がって見えるようになっている。
【００２７】
枠部材６１の前面側に開設された複数の表示窓６３は、価格表示部、ホット／コールド表示部、準備中表示部、販売中表示部／売切表示部などが設けられた透光可能な着色樹脂製の窓部材６６により前面側から封止される。
【００２８】
そのように構成された可動表示部材５２の枠部材６１の左右の下方に突設された連結片６１Ａそれぞれには長径を上下方向に向けた長穴６７が開設され、その長穴６７に軸部同士が同一直線上にあるように検出側取着部材５１に固定されたビス３１が差し込まれて、可動表示部材５２が検出側取着部材５１に長穴６７の範囲内で上下動と後傾とが可能に連結・一体化されている。
【００２９】
なお、長穴６７が開設されている枠部材６１の下方に突設された連結片６１Ａは、後傾防止手段５６Ａの背面側に位置し、長穴６７は、連結片６１Ａの下端６１Ｂまでの寸法が連結片６１Ａの前端までの寸法に等しくなり、且つ、長穴６７の上端から連結片６１Ａの下端６１Ｂまでの寸法がビス３１から後傾防止手段５６Ａまでの寸法より大きく設けられているので、可動表示部材５２は長穴６７の範囲で引き上げると２個のビス３１を支点として後傾することができるが、引き上げないと連結片６１Ａの下端６１Ｂ側が後継防止部材５６Ａにぶつかって後傾させることことができない。
【００３０】
本発明のボタン装置１００は上記構成であるので、自動販売機２００の前面パネル２０１の所定の高さにボタン取付穴２０２を操作側部材１０のボス１１のピッチで開設すると共に、ボス穴２０２同士の中間部にスイッチ穴２０３を開設し、それぞれの穴に操作側部材１０のボス１１と、操作ボタン１２の作用腕１３を表面側から刺し通し、その刺し通したボス１１の先端部に設けた雌螺子に、検出側取着部材５１の枠部材５５のビス穴にその背面側からビス５７をねじ込んで操作側部材１０と検出側取着部材５１との間を狭めることで前面パネル２０１は締め付けられ、ボタン装置１００が前面パネル２０１に装着される。
【００３１】
そして、価格、ホット／コールド区分表示などを行うための可動表示部材５２は、可動表示部材５２を引き上げないと後傾できないし、引き上げると両端部のビス３１を支点にして後傾可能であるので、窓部材６６の前面やその前方の前面パネル２０１の部分が汚れたり、その近傍に蛾の死骸などがあっても、可動表示部材５２を後傾して簡単に清掃することができる。
【００３２】
しかも、可動表示部材５２は引き上げるだけで後傾可能となるので、片手が塞がっている状態であっても、また、片手が不自由な人であっても容易に可動表示部材５２を後傾して前記清掃が行えると云った利点がある。
【００３３】
なお、本発明は上記実施形態に限定されるものではないので、特許請求の範囲に記載の趣旨から逸脱しない範囲で各種の変形実施が可能である。
【００３４】
例えば、長穴６７が開設された可動表示部材５２の連結片６１Ａを検出側取着部材５１の側に設け、可動表示部材５２のビス３１を可動表示部材５２の側に設けて、可動表示部材５２を検出側取着部材５１に後傾可能に取着することも可能である、
【００３５】
また、可動表示部材５２を検出側取着部材５１の下側に、可動表示部材５２が後傾可能に取着することも可能である、
【００３６】
また、固定側取着部材５６の一部を図４に鎖線で示したように上方に延設して後傾防止手段５６Ｂを形成し、可動表示部材５２を後傾防止手段５６Ｂより上方に引き上げないと、可動表示部材５２を後傾することができないことが、背面側から理解し易いようにすることも可能である。なお、後傾防止手段５６Ｂは、可動表示部材５２の側に設けることも可能であるし、検出側取着部材５１と可動表示部材５２の両方に設けることも可能である。
【００３７】
また、可動表示部材５２の商品名、価格、ホット／コールド区分、準備中／販売中／売切などを表示する機構は、他の適宜の機構であっても良い。例えば、表示部材１は図８に示したように折返し部を上側にして設置されても良い。
【００３８】
【発明の効果】
本発明のボタン装置は、可動表示部材を後傾可能に設けるようにしたので、表示部の前面やその前方の前面パネルの背面が汚れたり、その近傍に蛾の死骸などがあっても、表示部材を後退させて簡単に清掃することができる。
【００３９】
しかも、可動表示部材は引き上げるだけで後傾可能となるので、片手が塞がった状態であっても、また、片手が不自由な人であっても容易に可動表示部材を後傾して前記清掃が行えると云った利点がある。
【００４０】
また、可動表示部材は引き上げないと後傾できないので、検出側取着部材と可動表示部材に電力を供給するハーネス類が検出側取着部材・可動表示部材の背面側から設けられても、後傾する可動表示部材と検出側取着部材との間に前記ハーネス類が挟み込まれると云った不都合は生じ難い。
【図面の簡単な説明】
【図１】ボタン装置の可動表示部材の後傾状態を示す説明図である。
【図２】ボタン装置を自動販売機の前面パネルに設置した状態を示す説明図である。
【図３】ボタン装置を自動販売機の前面パネルに設置した状態を示す説明図であり、（Ａ）は取着機構部分の説明図、（Ｂ）はスイッチ機構部分の説明図である。
【図４】ボタン装置を背面から見た説明図であり、（Ａ）は可動表示部材を押し下げた状態の説明図、（Ｂ）は可動表示部材を引き上げた状態の説明図である。
【図５】可動表示部材における表示部材出入部を示す説明図である。
【図６】表示部材の説明図であり、（Ａ）は斜視図、（Ｂ）は正面図、（Ｃ）は製造要領を示す説明図である。
【図７】本発明のボタン装置を取り付けた自動販売機を示す説明図である。
【図８】変形実施形態を示す説明図である。
【図９】従来技術の説明図である。
【符号の説明】
１  表示部材
２  表示部
３  支持部
３Ａ  支持部端
４  文字表示
５  帯状シート
５Ａ  削除部
６  折返し部
１０  操作側部材
１１  ボス
１２  操作ボタン
１２Ａ  操作面
１３  作用腕
３１  ビス
５０  検出・表示側部材
５１  検出側取着部材
５２  可動表示部材
５３  スイッチ
５４  基板
５４Ａ  ボス穴
５５  枠部材
５５Ａ  ボス穴
５６  固定側取着部材
５６Ａ  後傾防止手段
５６Ｂ  後傾防止手段
５７  ビス
６０  基板
６１  枠部材
６１  枠部材
６１Ａ  連結片
６２  背面カバー部材
６３  表示窓
６４  表示部材収納部
６５  出入口
６６  窓部材
６７  長穴
１００  ボタン装置
２００  自動販売機
２０１  前面パネル
２０２  ボス穴
２０３  スイッチ穴
２０４  商品サンプル
２０５  ライト
【図１】
0003711923.tif 000002
【図２】
0003711923.tif 000003
【図３】
0003711923.tif 000004
【図４】
0003711923.tif 000005
【図５】
0003711923.tif 000006
【図６】
0003711923.tif 000007
【図７】
0003711923.tif 000008
【図８】
0003711923.tif 000009
【図９】
0003711923.tif 000010